(57)【要約】【課題】タッチパネルによる操作を行っても、外部表示装置を見ている参加者には操作者の操作が分る情報端末装置を提供する。【解決手段】情報端末装置（１００）は、外部表示装置（２００）に接続し、表示部（１０５）に表示している映像と同様の映像を外部表示装置（２００）に出力して表示させる。情報端末装置（１００）は、表示部（１０５）に組み込まれたタッチパネル（１０３）と、タッチパネル（１０３）による操作に基づいて、その操作処理を制御する操作制御部（１０９）と、表示部（１０５）と外部表示装置（２００）に表示させる映像を制御する表示制御部（１０７）と、外部表示装置（２００）に映像を出力する表示画像出力部（１０８）と、を備える。操作制御部（１０９）は、表示制御部（１０７）に、タッチパネル（１０３）に対して操作者がタッチした位置を外部表示装置（２００）に表示させる。【選択図】図１
2014211776.tif 000002
【特許請求の範囲】
【請求項１】
外部表示装置に接続し、表示部に表示している映像と同様の映像を前記外部表示装置に出力して表示させる情報端末装置であって、
前記表示部に組み込まれたタッチパネルと、
前記タッチパネルによる操作に基づいて、その操作処理を制御する操作制御部と、
前記表示部と前記外部表示装置に表示させる映像を制御する表示制御部と、
前記外部表示装置に映像を出力する表示画像出力部と、
を備え、
前記操作制御部は、前記表示制御部に、前記タッチパネルに対して操作者がタッチした位置を前記外部表示装置に表示させることを特徴とする情報端末装置。
【請求項２】
前記操作制御部は、前記タッチパネルに操作者がタッチした位置に表示されているＵＩ部品がタッチ操作により機能を果たす場合、操作対象であるＵＩ部品そのものを強調して表示させることを特徴とする請求項１に記載の情報端末装置。
【請求項３】
前記操作制御部は、前記タッチパネルに対する操作者のタッチ操作がスワイプ動作であった場合、その軌跡を表示させることを特徴とする請求項１又は２に記載の情報端末装置。
【請求項４】
前記操作制御部は、スワイプ動作の終了した位置を前記外部表示装置に表示させることを特徴とする請求項３に記載の情報端末装置。
【請求項５】
前記操作制御部は、前記表示部のスクロール領域内でスワイプ動作をする場合、スクロール方向に軌跡を補正表示させることを特徴とする請求項４に記載の情報端末装置。
【請求項６】
前記操作制御部は、スクロール領域をはみ出してスワイプしたときには、スワイプ終了位置をスクロール領域の終端部に表示させることを特徴とする請求項５に記載の情報端末装置。
【発明の詳細な説明】
【技術分野】
【０００１】
本発明は、タブレット端末などの情報端末装置を外部表示装置（外部ディスプレイ）に接続し、情報端末装置上に表示されている画面を外部ディスプレイに表示する場合で、情報端末装置が入力装置としてタッチパネルを有する場合に、操作した内容をわかり易く外部ディスプレイに表示する情報端末装置に関する。
【背景技術】
【０００２】
近年、大型表示画面を有する外部表示装置（外部ディスプレイ）を用いて複数の参加者にプレゼンテーションする場合、パソコンやタブレット端末などの情報端末装置の表示画面を外部ディスプレイに表示させてプレゼンテーションを行うことが多い。例えば、特許文献１に記載のようなテレビ会議システムでは、パソコンを情報端末装置として用いることにより、そのマウスポインタも外部ディスプレイに表示することが記載されている。参加者達は、外部ディスプレイの画面に表示されるマウスポインタを見ていれば、操作者の操作内容を把握することができる。
【先行技術文献】
【特許文献】
【０００３】
【特許文献１】特開２０１２−８９０９２号公報
【発明の概要】
【発明が解決しようとする課題】
【０００４】
ところが情報端末装置として、タッチパネルを備えたタブレット端末を用いると、マウスポインタは表示されずに、操作者のタッチにより操作されてしまうので、外部ディスプレイに表示された画像を見ている人は、どのような操作を行っているのかがわからない。従って、タブレット端末上でのデモンストレーションを外部ディスプレイで参加者に対して表示している場合に、参加者はタブレット端末上でどのような操作をしているかがわからず、デモンストレーションの効果が失われる。
【０００５】
本発明は、斯かる実情に鑑み、タッチパネルによる操作を行っても、外部表示装置を見ている参加者には操作者の操作が分る情報端末装置を提供することを目的とする。
【課題を解決するための手段】
【０００６】
本発明は、外部表示装置に接続し、表示部に表示している映像と同様の映像を前記外部表示装置に出力して表示させる情報端末装置であって、前記表示部に組み込まれたタッチパネルと、前記タッチパネルによる操作に基づいて、その操作処理を制御する操作制御部と、前記表示部と前記外部表示装置に表示させる映像を制御する表示制御部と、前記外部表示装置に映像を出力する表示画像出力部と、を備え、前記操作制御部は、前記表示制御部に、前記タッチパネルに対して操作者がタッチした位置を前記外部表示装置に表示させることを特徴とするものである。
【０００７】
前記操作制御部は、前記タッチパネルに操作者がタッチした位置に表示されているＵＩ部品がタッチ操作により機能を果たす場合、操作対象であるＵＩ部品そのものを強調して表示させることを特徴とする。
【０００８】
また、前記操作制御部は、前記タッチパネルに対する操作者のタッチ操作がスワイプ動作であった場合、その軌跡を表示させることを特徴とする。
【０００９】
また、前記操作制御部は、スワイプ動作の終了した位置を前記外部表示装置に表示させることを特徴とする。
【００１０】
また、前記操作制御部は、前記表示部のスクロール領域内でスワイプ動作をする場合、スクロール方向に軌跡を補正表示させることを特徴とする。
【００１１】
また、前記操作制御部は、スクロール領域をはみ出してスワイプしたときには、スワイプ終了位置をスクロール領域の終端部に表示させることを特徴とする。
【発明の効果】
【００１２】
本発明によれば、情報端末装置が外部表示装置に接続されている場合に、情報端末装置上でのタッチ操作を表示することにより外部表示装置を見ている人にわかり易く表示することができる。
【図面の簡単な説明】
【００１３】
【図１】プレゼンテーションシステムの構成図である。
【図２】外部表示装置にタッチ位置表示を行う場合における情報端末装置の操作制御部１０９の処理を示すフローチャートである。
【図３】タッチ位置表示を行う場合の情報端末装置と外部表示装置の表示状態を示す図である。
【図４】操作対象のＵＩ部品に対し強調表示を行う場合における情報端末装置の操作制御部の処理を示すフローチャートである。
【図５】タッチ位置表示と強調表示を行う場合の情報端末装置と外部表示装置の表示状態を示す図である。
【図６】スワイプの軌跡を表示する場合における情報端末装置の操作制御部の処理を示すフローチャートである。
【図７】図６に続くスワイプの軌跡を表示する場合における情報端末装置の操作制御部の処理を示すフローチャートである。
【図８】スワイプの軌跡を表示する場合の情報端末装置と外部表示装置の表示状態を示す図である。
【図９】スワイプの軌跡を補正して表示する場合における情報端末装置の操作制御部の処理を示すフローチャートである。
【図１０】図９に続くスワイプの軌跡を補正して表示する場合における情報端末装置の操作制御部の処理を示すフローチャートである。
【図１１】スワイプの軌跡を補正して表示する場合の情報端末装置と外部表示装置の表示状態を示す図である。
【発明を実施するための形態】
【００１４】
以下、本発明の実施の形態を添付図面を参照して説明する。
【００１５】
図１は、プレゼンテーションシステムの構成図である。
このプレゼンテーションシステムは、情報端末装置（例えばタブレット端末）１００と、外部表示装置２００と、から構成されている。このプレゼンテーションシステムは、情報端末装置１００の画面の画像を、外部表示装置２００に出力して表示させ、参加者にプレゼンテーションを行うものである。情報端末装置１００は、タッチパネルを有しており、操作者はタッチ入力を行う。外部表示装置２００は、大型表示パネルを備えており、そこに情報端末装置１００の画面の画像を表示しながら、操作も分るように表示する。情報端末装置１００は、外部表示装置２００に接続され、画像データを外部表示装置２００に出力する。
【００１６】
次に、情報端末装置１００の構成について説明するが、下記の構成は、本発明で最低限必要な要素のみの構成であり、実際には、カメラ、マイク、無線通信機能などの機能を持つことが多い。この実施例では、有線により情報端末装置１００と外部表示装置２００とを接続するものとするが、無線により接続しても構わない。
【００１７】
制御部１０１は、情報端末装置１００の各機能部を制御するとともに、記憶部１０２に記憶されている制御プログラムを実行するＣＰＵ（Central Processing Unit）やＭＰＵ（Micro Processing Unit）などの制御デバイスである。
【００１８】
記憶部１０２は、フラッシュＲＯＭ（Read Only Memory）、ＥＥＰＲＯＭ（Electrically Erasable and Programmable ROM）、ＨＤ（Hard Disk）などの記憶デバイスである。記憶部１０２は、制御プログラム、一時記憶データなどを記憶する。制御プログラムは、制御部１０１により読み出され、情報端末装置１００に各種処理を実行させるコンピュータプログラムである。一時記憶データは、入力部１０４を介して入力されたデータや、ネットワークを介して受信したデータなどの、情報端末装置１００に一時的に記憶されるデータである。
【００１９】
タッチパネル１０３は、入力部１０４と、表示部１０５とから構成される。
入力部１０４は、タッチパッドなどの入力デバイスである。
表示部１０５は、液晶ディスプレイなどの表示デバイスである。
【００２０】
入力制御部１０６は、入力信号の発生した位置（指でタッチした位置や指を離した位置など）や操作対象であるＵＩ（User interface）部品を特定するとともに、その入力信号の操作がタップ操作なのか、スワイプ操作なのかなどの操作種別を判定する。
ここで、ＵＩ部品とは、アイコンなどの操作機能をもった画面部品を指す。操作種別とは、タップ、ダブルタップ、ロングタップ、スワイプ（スライド）、フリック、ピンチアウト／ピンチインなどのタッチ操作の種別である。
【００２１】
表示制御部１０７は、表示部１０５に対する情報の表示を制御する。また、外部表示装置２００と接続されている場合に、表示画像出力部１０８に対する表示画像情報の出力を制御する。
【００２２】
表示画像出力部１０８は、表示部１０５に表示されている画像を外部表示装置２００に出力するためのＤＶＩ(Digital Visual Interface)や、ＨＤＭＩ（登録商標）(High-Definition Multimedia Interface)などの出力端子である。表示制御部１０７からの映像信号を外部表示装置２００に出力する。
【００２３】
操作制御部１０９は、入力制御部１０６で検知された入力操作に基づき、必要な処理を行い、表示を更新する必要がある場合に、表示制御部１０７に対してその内容を指示する制御部である。操作制御部１０９は、タッチパネル１０３の入力に基づいて、その操作内容を表示する制御を行う。
【００２４】
入力制御部１０６、表示制御部１０７、操作制御部１０９は、制御部１０１に組み込まれていても構わないが、本実施例においては、別機能ブロックとする。
【００２５】
次に、プレゼンテーションを行う場合の情報端末装置の動作における各実施例について説明する。
【００２６】
［実施例１］
図２は、外部表示装置２００にタッチ位置表示を行う場合における情報端末装置１００の操作制御部１０９の処理を示すフローチャートである。
【００２７】
操作者が、情報端末装置１００における表示部１０５の表示画面をタッチして操作を行うと、入力制御部１０６がタッチパネル１０３の入力部１０４を介してタッチ操作を検知し、操作制御部１０９に通知する。この通知には、タッチ座標、操作種別、操作対象ＵＩ部品などの情報が含まれる。
【００２８】
操作制御部１０９は、タッチ操作を検知した通知を受けると（ステップＳ１１）、外部表示装置２００に画像出力し、操作情報を表示する設定になっているかどうかを判定する（ステップＳ１２）。すなわち、表示画像出力部１０８が外部表示装置２００と接続され、表示制御部１０７の映像信号を外部表示装置２００に表示する状態になっており、記憶部１０２に操作情報表示を行う設定が記憶されているかどうかを判定する。
【００２９】
外部表示装置２００に画像出力し、操作情報表示する場合（ステップＳ１２；Ｙｅｓ）、操作制御部１０９は、タッチ位置にタッチ操作が行われたことを示すアイコンの表示設定を行う（ステップＳ１３）。つまり、アイコンの表示位置と、表示するアイコンを指定する。アイコンの画像データは予め記憶部１０２に記憶されており、操作制御部１０９は、それを設定する。そして、操作制御部１０９は、入力制御部１０６により検出されたタッチ位置に対応する画面位置にアイコンを表示するという表示指示を表示制御部１０７に行う（ステップＳ１４）。表示制御部１０７は、表示部１０５と表示画像出力部１０８に対して画面表示を更新する。
【００３０】
外部表示装置２００に画像出力を行う際に操作情報表示を行わない場合（ステップＳ１２；Ｎｏ）、上記の処理は行わず、ステップＳ１５に進む。
【００３１】
ステップＳ１５において、操作制御部１０９は通常のタッチ処理を行う。「通常のタッチ処理」とは、タッチ操作検知の通知に含まれるタッチ操作種別（例えばタップ操作）と操作対象ＵＩ部品（例えばアイコン）から、それに対応した操作処理内容を記憶部１０２から読み出して実行する。表示制御部１０７に表示指示を行う（ステップＳ１６）。表示制御部１０７は、タッチ操作により何らかの表示の変更がある場合は画面に反映する。
【００３２】
外部表示装置２００に画像出力の際の操作情報表示を行っていない場合（ステップＳ１７；Ｎｏ）、操作制御部１０９は、フローを終了する。
外部表示装置２００に画像出力の際の操作情報表示を行っている場合（ステップＳ１７；Ｙｅｓ）、操作制御部１０９は、タッチ位置を示すアイコンの表示を解除する設定を行い（ステップＳ１８）、表示制御部１０７に表示指示を行う（ステップＳ１９）。表示制御部１０７は表示部１０５と表示画像出力部１０８に対して画面表示を更新する。こうして、タッチ位置に表示されていたアイコンが非表示となる。
【００３３】
ステップＳ１５のタッチ処理を行う前、あるいは、ステップ１９の表示指示を行う前にディレイ時間を設け、アイコンの表示を持続させる期間を調整することができる。
【００３４】
図３は、タッチ位置表示を行う場合の情報端末装置１００と外部表示装置２００の表示状態を示す図である。
（ａ）では、タッチ操作は行われていない。
（ｂ）では、情報端末装置１００に対し、ユーザが左下の点をタッチすると、情報端末装置１００と、これに接続されている外部表示装置２００とのタッチ位置に対応する位置に、タッチ位置を示すアイコン１１０，２１０が表示される。指を離すと、タッチ位置のアイコン１１０，２１０が消え（ａ）の状態となる。
【００３５】
情報端末装置１００と外部表示装置２００の画面サイズが異なる場合は、情報端末装置１００の画像が、画面サイズの比率で拡大、あるいは、縮小表示されており、タッチ位置について画面サイズの比率に応じて相対的に同じ位置に表示される。
【００３６】
このように、情報端末装置１００の画面にタッチした位置を、外部表示装置２００にアイコンで表示することにより、操作者がどこにタッチしたかが、外部表示装置２００を見ている参加者も認識できる。さらに操作者がタッチを止めた場合（指等を離した場合）、アイコン２１０が外部表示装置２００の画面から消えることにより、指を離したことを参加者も認識できる。
【００３７】
［実施例２］
図４は、操作対象のＵＩ部品に対し強調表示を行う場合における情報端末装置１００の操作制御部１０９の処理を示すフローチャートである。
【００３８】
入力制御部１０６は、入力部１０４からのタッチ操作（タッチパネル１０３に指などを触れる操作）を検知すると、タッチ操作種別を判別し、操作対象のＵＩ部品を判定し、タッチ操作が行われたことを、操作制御部１０９に通知する。この通知には、タッチ座標、操作種別、操作対象ＵＩ部品などの情報が含まれる。
【００３９】
操作制御部１０９は、入力制御部１０６からこの通知を受け取り（ステップＳ２１）、外部表示装置２００に画像出力の際に操作情報を表示する設定になっているかどうかを判定する（ステップＳ２２）。
【００４０】
外部表示装置２００に画像出力の際の操作情報表示を行なわない場合（ステップＳ２２；Ｎｏ）、操作制御部１０９は通常のタッチ処理を行い（ステップＳ２７）、表示制御部１０７に表示指示を行う（ステップＳ２８）。表示制御部１０７は、タッチ操作により何らかの表示の変更がある場合は画面に反映する。
【００４１】
外部表示装置２００に画像出力の際の操作情報表示を行なわない場合であるので（ステップＳ２９；Ｎｏ）、フローを終了する。
【００４２】
また、外部表示装置２００に画像出力を行い操作情報表示する場合（ステップＳ２２；Ｙｅｓ）、操作制御部１０９は、タッチ位置に操作が行われたことを示すアイコンの表示設定を行う（ステップＳ２３）。つまり、アイコンの表示位置と、表示するアイコンを設定する。そして、操作制御部１０９は、タッチ操作対象のＵＩ部品が存在し、そのＵＩ部品が強調表示対象であり、そして操作（操作種別）が強調表示を行うものであるかを判定する（ステップＳ２４）。ＵＩ部品が強調表示対象である場合（ステップＳ２４；Ｙｅｓ）、操作制御部１０９は、そのＵＩ部品に対して強調表示設定を行い（ステップＳ２５）、表示制御部１０７に強調表示の指示を行う（ステップＳ２６）。表示制御部１０７は、表示部１０５と表示画像出力部１０８に対して画面表示を更新し、タッチ位置を示すアイコンが表示され操作対象のＵＩ部品が強調表示される。
【００４３】
操作対象のＵＩ部品が存在しない、もしくは、そのＵＩ部品が強調表示対象ではない、もしくは、そのＵＩ部品が強調表示対象であるが操作が強調表示を行うものではない場合（ステップＳ２４；Ｎｏ）、操作制御部１０９は、強調表示設定は行わず、表示制御部１０７に表示指示を行う（ステップＳ２６）。表示制御部１０７は、表示部１０５と表示画像出力部１０８に対して画面表示を更新し、タッチ位置を示すアイコンを表示する。
【００４４】
その後、操作制御部１０９は通常のタッチ処理を行い（ステップＳ２７）、表示制御部１０７に表示指示を行う（ステップＳ２８）。表示制御部１０７は、タッチ操作により何らかの表示の変更がある場合は画面に反映させる。
【００４５】
外部表示装置２００に画像出力の際の操作情報表示を行っているので（ステップＳ２９；Ｙｅｓ）、タッチ位置に表示されているアイコンの表示を解除する設定を行う（ステップＳ３０）。強調表示されている部品がある場合は（ステップＳ３１；Ｙｅｓ）、操作制御部１０９は、強調表示を解除する設定を行う（ステップＳ３２）。強調表示されている部品がない場合は（ステップＳ３１；Ｎｏ）、ステップＳ３２の処理は行わない。そして、表示制御部１０７に表示指示を行う（ステップＳ３３）。
【００４６】
ステップＳ２７のタッチ処理を行う前、あるいは、ステップＳ３３の表示指示を行う前にディレイ時間を設け、アイコンの表示を持続させる期間を調整することができる。
また、強調表示は、網掛け表示としたがこれに限定するものではなく、周囲との色を変えるなどの強調できる表示であればよい。
【００４７】
図５は、タッチ位置表示と強調表示を行う場合の情報端末装置１００と外部表示装置２００の表示状態を示す図である。
（ａ）は、操作前の情報端末装置１００と外部表示装置２００の画面である。情報端末装置１００と外部表示装置２００の表示画面の左上にはボタン１１１，２１１、右上にはチェックボックス１１２，２１２が表示されている。
（ｂ）は、情報端末装置１００のボタン１１１を操作者が指でタッチした場合の画面である。情報端末装置１００の画面では、タッチ位置をアイコン１１０として示すとともに、ボタン１１１を強調表示（網掛け表示）している。同様に、外部表示装置２００の画面でも、タッチ位置をアイコン２１０として示すとともに、ボタン２１１を強調表示（網掛け表示）している。指を離すと、タッチ位置のアイコン１１０，２１０とボタン１１１，２１１の強調表示が消えて、（ａ）の状態となる。
（ｃ）は、情報端末置１００のチェックボックス１１２を操作者が指でタッチした場合の画面である。情報端末装置１００の画面では、タッチ位置をアイコン１１０で示すとともに、チェックボックス１１２（「Ｃｈｅｃｋ  Ｂｏｘ」という文字まで含めて）が強調表示（網掛け表示）され、チェックボックス１１２にはチェックが行われた状態となっている。同様に、外部表示装置２００の画面でも、タッチ位置をアイコン２１０で示すとともに、チェックボックス２１２（「Ｃｈｅｃｋ  Ｂｏｘ」という文字まで含めて）が強調表示（網掛け表示）され、チェックボックス２１２にはチェックが行われた状態となっている。指を離すと、タッチ位置のアイコン１１０，２１０とチェックボックス１１２，２１２の強調表示が消えるが、チェックボックス１１２，２１２はチェックされたままの状態となる。
【００４８】
従って、タップ操作を行うと、情報端末装置１００のタッチパネル１０３にタッチしている間は外部表示装置２００にアイコンと強調表示が表示され、指がタッチパネル１０３から離れると、外部表示装置２００からアイコンと強調表示が消える。
【００４９】
こうしてアイコンに加えて、強調表示も行うことで、外部表示装置２００を見ている参加者にとって、どの部分をタッチしたかがより分かり易くなる。また、タッチ位置のＵＩ部品の存在やタッチ種別などに基づいて強調表示をすべきか否かを判定することにより、必要なときにのみ強調表示されるので、参加者が混乱しない。
【００５０】
［実施例３］
図６及び図７は、スワイプの軌跡を表示する場合における情報端末装置１００の操作制御部１０９の処理を示すフローチャートである。
【００５１】
入力制御部１０６は、入力部１０４からのタッチ操作（タッチパネル１０３に指などを触れる操作）を検知すると、タッチ操作種別を判別し、タッチ操作が行われたことを操作制御部１０９に通知する。この通知には、タッチ座標、操作種別、操作対象ＵＩ部品などの情報が含まれる。
スワイプ操作の場合は、操作種別として「スワイプ開始」、「スワイプ中」、「スワイプ終了」の通知を順に通知する。このうち「スワイプ中」の通知は複数回通知されることがあるが、「スワイプ開始」と「スワイプ終了」の通知は１回のスワイプ操作の中では１回のみ通知される。
【００５２】
操作制御部１０９は、入力制御部１０６からこの通知を受け取って（ステップＳ４１）、外部表示装置２００に画像出力する際に操作情報を表示する設定になっているかどうかを判定する（ステップＳ４２）。
【００５３】
外部表示装置２００に画像出力する際に操作情報表示を行なわない場合（ステップＳ４２；Ｎｏ）、操作制御部１０９は通常のタッチ処理を行い（ステップＳ５６）、表示制御部１０７に表示指示を行う（ステップＳ５７）。表示制御部１０７は、タッチ操作により何らかの表示の変更がある場合は画面に反映する。
【００５４】
外部表示装置２００に画像出力する際に操作情報表示を行なわない場合であるので（ステップＳ５８；Ｎｏ）、フローを終了する。
【００５５】
また、外部表示装置２００に画像出力する際に操作情報表示をする場合（ステップＳ４２；Ｙｅｓ）、操作制御部１０９は、現在スワイプ操作途中であるかどうかを記憶部１０２のスワイプ操作途中設定から判定する（ステップＳ４３）。
【００５６】
スワイプ操作中ではない場合（ステップＳ４３；Ｎｏ）、行われたタッチ操作がスワイプ開始操作かどうかを判定する（ステップＳ４４）。
【００５７】
スワイプ開始操作の場合は（ステップＳ４４；Ｙｅｓ）、操作制御部１０９は、スワイプ操作を開始してスワイプ操作途中であることを記憶部１０２に記憶し（ステップＳ４５）、タッチ位置をスワイプ開始点（スワイプ開始位置）として記憶部１０２に記憶し（ステップＳ４６）、その位置にスワイプ開始点を示すアイコンを表示するよう設定する（ステップＳ４７）。操作制御部１０９は、表示制御部１０７に開始点アイコンの表示指示を行う（ステップＳ４８）。
スワイプ開始操作ではない場合は（ステップＳ４４；Ｎｏ）フローを終了する。
【００５８】
一方、スワイプ操作途中の場合は（ステップＳ４３；Ｙｅｓ）、操作制御部１０９は、スワイプ軌跡を算出し、その軌跡を記憶部１０２に記憶し（ステップＳ４９）、スワイプ軌跡を表示する設定を行い（ステップＳ５０）、表示制御部１０７にスワイプ軌跡の表示指示を行う（ステップＳ５１）。そして、タッチ操作がスワイプ終了操作かどうかを判定する（ステップＳ５２）。
【００５９】
スワイプ終了操作の場合は（ステップＳ５２；Ｙｅｓ）、スワイプ終了点（終了位置）を記憶部１０２に記憶し（ステップＳ５３）、終了点を示すアイコンの表示設定を行う（ステップＳ５４）。操作制御部１０９は、表示制御部１０７に終了点アイコンの表示指示を行う（ステップＳ５５）。
【００６０】
こうして、表示制御部１０７は表示部１０５と表示画像出力部１０８に対して画面表示を更新し、スワイプ開始時には、開始位置を、スワイプ途中の場合はその軌跡を、スワイプ終了時にはスワイプの軌跡と終了位置が表示される。
【００６１】
その後、操作制御部１０９は、通常のタッチ処理を行い（ステップＳ５６）、表示制御部１０７に表示指示を行い、タッチ操作により何らかの表示の変更がある場合は画面に反映される（ステップＳ５７）。
【００６２】
外部表示装置２００に画像出力する際の操作情報表示を行う場合で（ステップＳ５８；Ｙｅｓ）、操作内容がスワイプ終了操作ではない場合は（ステップＳ５９；Ｎｏ）、フローを終了する。
【００６３】
操作内容がスワイプ終了操作の場合（ステップＳ５９；Ｙｅｓ）、操作制御部１０９は描画中のスワイプ軌跡に関する情報を記憶部１０２に記憶し、その表示をすべて解除する設定を行い（ステップＳ６０）、スワイプ開始点を記憶部１０２に記憶し、アイコン表示を解除する設定を行い（ステップＳ６１）、スワイプ終了点を記憶部１０２に記憶し、アイコン表示を解除する設定を行う（ステップＳ６２）。そして、スワイプ操作途中設定を解除し（ステップＳ６３）、表示制御部１０７に表示指示を行う（ステップＳ６４）。表示制御部１０７は、スワイプ操作を示す開始位置、終了位置アイコン、およびスワイプ軌跡を非表示とする。
【００６４】
なお、ステップＳ６４で表示指示を行う前にディレイ時間を設け、スワイプ軌跡およびアイコンの表示を持続させる期間を調整することができる。
【００６５】
図８は、スワイプの軌跡を表示する場合の情報端末装置１００と外部表示装置２００の表示状態を示す図である。
（ａ）は、スワイプ動作開始時の情報端末装置１００と外部表示装置２００の画面である。操作者が情報端末装置１００上でスワイプ動作を開始した場合、開始点（開始位置）にアイコン１１０が表示される。同時に外部表示装置２００にも、開始点に相当する位置に、アイコン２１０が表示される。なお、情報端末装置１００と外部表示装置２００の画面には、スクロール領域１２０，２２０が存在する。
（ｂ）は、スワイプ途中の画面である。操作者は情報端末装置１００のタッチパネル１０３に指を触れたままスライドさせる。情報端末装置１００上では、スワイプ開始点を示すアイコン１１０を表示したまま、操作者のスワイプ動作の軌跡１２１を表示する。同様に、外部表示装置２００でも、スワイプ開始点を示すアイコン２１０を表示したまま操作者のスワイプ動作の軌跡２２１を表示する。このスワイプ動作は、図上のスクロール領域１２０，２２０に対して行われており、同時にスクロール動作が行われており、スクロール領域１２０，２２０がスクロールした状態で表示されている。
（ｃ）は、（ｂ）と同様にスワイプ途中の画面である。スワイプ軌跡１２１，２２１が操作者の操作に従い追加されている。スクロール領域１２０，２２０はスクロールされ表示されている。
（ｄ）は、スワイプ終了時の画面である。操作者は、タッチパネル１０３に触れたままスライド動作を止めると、その位置がスワイプ終了点（終了位置）となる。情報端末装置１００では、スワイプ終了点（スクロール領域を越えている）までのスワイプ軌跡１２１が表示され、さらに、終了点を示すアイコン１２２が表示されている。同様に、外部表示装置２００では、スワイプ終了点（スクロール領域を越えている）までのスワイプ軌跡２２１が表示され、さらに、終了点を示すアイコン２２２が表示されている。操作者が、タッチパネル１０３から指を離すと、スワイプの軌跡１２１，２２１およびスワイプ開始点、スワイプ終了点のアイコン１１０，２１０，１２２，２２２は非表示となる。
【００６６】
こうして、スワイプ開始位置、終了位置のアイコンと、スワイプ軌跡が表示されるので、どの位置からどの位置までスワイプしたかが外部表示装置２００を見ている参加者が容易に認識できる。
【００６７】
［実施例４］
図９及び図１０は、スワイプの軌跡を補正して表示する場合における情報端末装置１００の操作制御部１０９の処理を示すフローチャートである。
【００６８】
入力制御部１０６は、入力部１０４からのタッチ操作（タッチパネル１０３に指などを触れる操作）を検知すると、タッチ操作種別を判別し、操作対象のＵＩ部品を判定し、タッチ操作が行われたことを操作制御部１０９に通知する。この通知には、タッチ座標、操作種別、操作対象ＵＩ部品などの情報が含まれる。
スワイプ操作の場合は、操作種別として「スワイプ開始」、「スワイプ中」、「スワイプ終了」の通知を順に通知する。このうち「スワイプ中」の通知は複数回通知されることがあるが、「スワイプ開始」と「スワイプ終了」の通知は１回のスワイプ操作の中では１回のみ通知される。
【００６９】
操作制御部１０９は、入力制御部１０６からこの通知を受け取って（ステップＳ７１）外部表示装置２００に画像出力する際に操作情報を表示する設定になっているかどうかを判定する（ステップＳ７２）。
【００７０】
外部表示装置２００に画像出力する際に操作情報表示を行なわない場合（ステップＳ７２；Ｎｏ）、操作制御部１０９は通常のタッチ処理を行い（ステップＳ８９）、表示制御部１０７に表示指示を行う（ステップＳ９０）。表示制御部１０７は、タッチ操作により何らかの表示の変更がある場合は画面に反映し、外部表示装置２００に画像出力する際に操作情報表示を行なわない場合であるので（ステップＳ９１；Ｎｏ）、フローを終了する。
【００７１】
また、外部表示装置２００に画像出力する際に操作情報表示する場合（ステップＳ７２；Ｙｅｓ）、操作制御部１０９は、現在スワイプ操作途中であるかどうかを記憶部１０２のスワイプ操作途中設定から判定する（ステップＳ７３）。
【００７２】
スワイプ操作中ではない場合（ステップＳ７３；Ｎｏ）、行われたタッチ操作がスワイプ開始操作かどうかを判定する（ステップＳ７４）。
【００７３】
スワイプ開始操作の場合は（ステップ７４；Ｙｅｓ）、操作制御部１０９は、操作対象のＵＩ部品があるかどうかを判定する（ステップＳ７５）。操作対象のＵＩ部品がある場合（ステップＳ７５；Ｙｅｓ）は、スワイプ操作を開始してスワイプ操作途中であることを記憶部１０２に記憶し（ステップＳ７６）、スワイプ操作対象のＵＩ部品を記憶部１０２に記憶し（ステップＳ７７）、タッチ位置をスワイプ開始点（スワイプ開始位置）として記憶部１０２に記憶し（ステップＳ７８）、その位置にスワイプ開始点を示すアイコンを表示するよう設定する（ステップＳ７９）。操作制御部１０９は、表示制御部１０７に開始点アイコンの表示指示を行う（ステップＳ８０）。
スワイプ開始操作ではない場合（ステップ７４；Ｎｏ）、あるいは、操作対象のＵＩ部品がない場合（ステップＳ７５；Ｎｏ）は、フローを終了する。
【００７４】
一方、スワイプ操作途中の場合は（ステップＳ７３；Ｙｅｓ）、操作制御部１０９は、その操作が対象ＵＩ部品に対して有効であるかどうかを判定する（ステップＳ８１）。有効である場合は、（ステップＳ８１；Ｙｅｓ）、操作制御部１０９は、スワイプ開始点、あるいは前回のスワイプ軌跡終端からの軌跡をスワイプ方向等から補正したスワイプ軌跡を算出し、記憶部１０２に記憶し（ステップＳ８２）、補正後のスワイプ軌跡を表示するよう設定し（ステップＳ８３）、表示制御部１０７に表示指示を行う（ステップＳ８４）。表示制御部１０７は、表示部１０５と表示画像出力部１０８に対して画面表示を更新し、一連のスワイプ動作の軌跡とスワイプ開始位置を示すアイコンを表示する。そして、スワイプ終了操作であるかどうかを判定する（ステップＳ８５）。
【００７５】
スワイプ終了操作である場合は（ステップＳ８５；Ｙｅｓ）、操作制御部１０９は、タッチ位置に対し軌跡補正後のスワイプ終了点を算出し、記憶部１０２に記憶し（ステップＳ８６）、スワイプ終了位置を示すアイコンをスワイプ軌跡補正後のスワイプ終了位置に表示するよう設定し（ステップＳ８７）、表示制御部１０７に表示指示を行う（ステップＳ８８）。表示制御部１０７は、表示部１０５と表示画像出力部１０８に対して画面表示を更新し、一連のスワイプ動作の軌跡とスワイプ開始位置、および終了位置を示すアイコンを表示する。
【００７６】
一方、行われた操作が対象ＵＩ部品に対して無効である場合（ステップＳ８１；Ｎｏ）、操作制御部１０９は操作中のスワイプ軌跡の現在の終端をスワイプ終了位置とし、補正後のスワイプ終了位置を算出し記憶部１０２に記憶し（ステップＳ８６）、スワイプ終了位置を示すアイコンを補正後のスワイプ終了位置に表示するよう設定し（ステップＳ８７）、一連のスワイプ操作が終了したことを記憶部１０２に記憶し、表示制御部１０７に表示指示を行う（ステップＳ８８）。表示制御部１０７は、表示部１０５と表示画像出力部１０８に対して画面表示を更新し、一連のスワイプ動作の軌跡とスワイプ開始位置、および終了位置を示すアイコンが表示される。
【００７７】
これらの後、操作制御部１０９は通常のタッチ処理を行い（ステップＳ８９）、表示制御部１０７に表示指示を行う（ステップＳ９０）。
【００７８】
外部表示装置２００に画像出力する際に操作情報表示を行う場合で（ステップＳ９１；Ｙｅｓ）、記憶部１０２にスワイプ操作の終了を記憶していない場合は（ステップＳ９２；Ｎｏ）、フローを終了する。タッチ操作がスワイプ終了操作の場合は（ステップＳ９２；Ｙｅｓ）、スワイプの軌跡の記憶と表示を解除する設定を行い（ステップＳ９３）、スワイプ開始点の記憶とアイコン表示を解除する設定を行い（ステップＳ９４）、スワイプ終了点の記憶とアイコン表示を解除する設定を行い（ステップＳ９５）、記憶部１０２に記憶されている操作対象ＵＩ部品の記憶を解除し（ステップＳ９６）、スワイプ操作途中の設定を解除する（ステップＳ９７）。表示制御部１０７に表示指示を行い（ステップＳ９８）、スワイプ操作を示す開始位置、終了位置アイコン、およびスワイプ軌跡が非表示となる。
【００７９】
ステップＳ９８で表示指示を行う前にディレイ時間を設け、スワイプ軌跡およびアイコンの表示を持続させる期間を調整することができる。
【００８０】
図１１は、スワイプの軌跡を補正して表示する場合の情報端末装置１００と外部表示装置２００の表示状態を示す図である。
（ａ）は、スワイプ動作開始時の情報端末装置１００と外部表示装置２００の画面である。操作者が情報端末装置１００上でスワイプ動作を開始した場合、開始点（開始位置）にアイコン１１０が表示される。同時に外部表示装置２００にも、開始点に相当する位置に、アイコン２１０が表示される。なお、情報端末装置１００と外部表示装置２００の画面には、スクロール領域１２０，２２０が存在する。
（ｂ）は、スワイプ途中の画面である。操作者は情報端末装置１００のタッチパネル１０３に指を触れたままスライドさせる。スワイプ動作が画面上のスクロール領域１２０に対するスクロール動作であるので、スクロール方向（図１１では鉛直下方）に補正されたスワイプの軌跡１３１と、スクロール開始位置を示すアイコン１１０が表示されている。同様に、外部表示装置２００でも、スワイプ動作が画面上のスクロール領域２２０に対するスクロール動作であるので、スクロール方向に補正されたスワイプの軌跡２３１と、スクロール開始位置を示すアイコン２１０が表示されている。このスワイプ動作は、図上のスクロール領域１２０，２２０に対して行われており、同時にスクロール動作が行われており、スクロール領域１２０，２２０がスクロールした状態で表示されている。
（ｃ）は、（ｂ）と同様にスワイプ途中の画面である。スクロール方向に補正されたスワイプの軌跡１３１，２３１が表示されている。同時にスクロール領域１２０，２２０はスクロールされ表示されている。
（ｄ）は、スワイプ終了時の画面である。情報端末装置１００上でのスワイプ終了位置はスクロール領域外の左下であるが、スクロール操作として有効だった位置までのスワイプの軌跡１３１が補正して表示され、終了点を示すアイコン１２２はスクロール領域１２０の終端に表示される。同様に、外部表示装置２００でも、スクロール操作として有効だった位置までのスワイプの軌跡２３１が補正して表示され、終了点を示すアイコン２２２はスクロール領域２２０の終端に表示される。
【００８１】
こうして、スワイプの軌跡がスクロール方向に延びるように補正し、さらに終了点を示すアイコンをスクロール領域内に表示するように補正するので、参加者はスクロール方向が分ると共に、スクロール領域内のどこまでをスワイプ操作したのかが容易に分る。操作者の指が、勢い余ってスクロール領域を飛び出してもスクロール領域内に終了点が示される。
【００８２】
以上の例で述べた、操作をわかり易くするための表示（タッチ位置アイコン、強調表示、軌跡表示など）は、外情報端末装置と外部表示装置の両方で表示しているが、外部表示装置でのみ表示してもよい。
【００８３】
本発明による情報端末装置で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory）などの各種ＲＯＭやＨＤＤ（Hard Disk Drive）に格納され、必要に応じてＣＰＵによって読み出し、修正・書き込みが行われる。また、各構成の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００８４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。また、上述した実施形態における各装置の一部、または全部を典型的には集積回路であるＬＳＩとして実現してもよい。各装置の各機能ブロックは個別にチップ化してもよいし、一部、または全部を集積してチップ化してもよい。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【００８５】
以上、この発明の実施形態を図面を参照して詳述してきたが、具体的な構成はこれらの実施形態に限られるものではなく、この発明の要旨を逸脱しない範囲の設計変更等された発明も含まれる。
【００８６】
本発明は、外部表示装置（２００）に接続し、表示部（１０５）に表示している映像と同様の映像を前記外部表示装置（２００）に出力して表示させる情報端末装置（１００）であって、前記表示部（１０５）に組み込まれたタッチパネル（１０３）と、前記タッチパネル（１０３）による操作に基づいて、その操作処理を制御する操作制御部（１０９）と、前記表示部（１０５）と前記外部表示装置（２００）に表示させる映像を制御する表示制御部（１０７）と、前記外部表示装置（２００）に映像を出力する表示画像出力部（１０８）と、を備え、前記操作制御部（１０９）は、前記表示制御部（１０７）に、前記タッチパネル（１０３）に対して操作者がタッチした位置を前記外部表示装置（２００）に表示させることを特徴とする。
【００８７】
こうして、情報端末装置の画面にタッチした位置を、外部表示装置にアイコンで表示することにより、操作者がどこにタッチしたかが、外部表示装置を見ている参加者も認識できる。
【００８８】
ここで前記操作制御部（１０９）は、前記タッチパネル（１０３）に操作者がタッチした位置に表示されているＵＩ部品がタッチ操作により機能を果たす場合、操作対象であるＵＩ部品そのものを強調して表示させることを特徴とする。
【００８９】
こうして、強調表示も行うことで、外部表示装置を見ている参加者にとって、どの部分をタッチしたかがより分かり易くなる。
【００９０】
また、前記操作制御部（１０９）は、前記タッチパネル（１０３）に対する操作者のタッチ操作がスワイプ動作であった場合、その軌跡を表示させることを特徴とする。
【００９１】
こうして、スワイプ軌跡が表示されるので、どの位置からどの位置までスワイプしたかが外部表示装置（２００）を見ている参加者が容易に認識できる。
【００９２】
また、前記操作制御部（１０９）は、スワイプ動作の終了した位置を前記外部表示装置（２００）に表示させることを特徴とする。
【００９３】
こうして、スワイプ終了位置が表示されることにより、ここで操作が終了したことを参加者が明確に認識できる。
【００９４】
また、前記操作制御部（１０９）は、前記表示部（１０５）のスクロール領域内でスワイプ動作をする場合、スクロール方向に軌跡を補正表示させることを特徴とする。
【００９５】
こうして、スワイプの軌跡をスクロール方向に延びるように補正しているので、参加者はスクロール方向が簡単に認識できる。
【００９６】
また、前記操作制御部（１０９）は、スクロール領域をはみ出してスワイプしたときには、スワイプ終了位置をスクロール領域の終端部に表示させることを特徴とする。
【００９７】
こうして、スワイプの軌跡の終了点を表示するので、参加者は操作の終了点が明確に認識できる。
【符号の説明】
【００９８】
１００  情報端末装置
１０１  制御部
１０２  記憶部
１０４  入力部
１０５  表示部
１０６  入力制御部
１０７  表示制御部
１０８  表示画像出力部
１０９  操作制御部
２００  外部表示装置
１１０，２１０  開始点アイコン
１２２，２２２  終了点アイコン
１１１，２１１  ボタン
１１２，２１２  チェックボックス
１２０，２２０  スクロール領域
１２１，２２１  スワイプ軌跡
１３１，２３１  補正スワイプ軌跡
【図１】
2014211776.tif 000003
【図２】
2014211776.tif 000004
【図３】
2014211776.tif 000005
【図４】
2014211776.tif 000006
【図５】
2014211776.tif 000007
【図６】
2014211776.tif 000008
【図７】
2014211776.tif 000009
【図８】
2014211776.tif 000010
【図９】
2014211776.tif 000011
【図１０】
2014211776.tif 000012
【図１１】
2014211776.tif 000013